(57)【要約】【課題】第１の電池、第２の電池及び第３の電池に１次電池又は２次電池を利用し、使用状況に応じて異なる方向の５つの正、負電極を使用し、各種電子機器、電気器具へ幅広くかつ便利に使用することができる５極電池ボックス構造を提供する。【解決手段】５極電池ボックス構造は、ボックス１、第１の端蓋２、第２の端蓋３、第１の電気的接続部材４及び第２の電気的接続部材５を備える。ボックス１は、一端に設けられた第１の端蓋２と、他端に設けられた第２の端蓋３とを有する。ボックス１内には、互いに対応した３つの収納槽１１が形成されている。収納槽１１内には、第１の電池１２、第２の電池１３及び第３の電池１４がそれぞれ収納される。第１の電池１２及び第３の電池１４は、正極端が第１の端蓋２を向き、負極端が第２の端蓋３を向く。第２の電池１３は、負極端が第１の端蓋２を向き、正極端が第２の端蓋３を向く。【選択図】図１
2015201371.tif 000002
【特許請求の範囲】
【請求項１】
ボックス、第１の端蓋、第２の端蓋、第１の電気的接続部材及び第２の電気的接続部材を備えた５極電池ボックス構造であって、
前記ボックスは、一端に設けられた前記第１の端蓋と、他端に設けられた前記第２の端蓋と、を有し、前記ボックス内には、互いに対応した３つの収納槽が形成され、前記収納槽内には、第１の電池、第２の電池及び第３の電池がそれぞれ収納され、前記第１の電池及び前記第３の電池は、正極端が前記第１の端蓋を向き、負極端が前記第２の端蓋を向き、前記第２の電池は、前記負極端が前記第１の端蓋を向き、前記正極端が前記第２の端蓋を向き、前記第１の電池の前記正極端は、正極コネクタに接続され、前記第２の電池の前記負極端と前記第３の電池の前記正極端との間には、第１の導通部材が接続され、前記第３の電池の前記負極端には、負極コネクタが接続されるとともに、前記第１の電池の前記負極端と前記第２の電池の前記正極端との間には、第２の導通部材が接続され、
前記第１の端蓋は、第１の固定蓋体を有し、前記第１の固定蓋体の外端には、第１の絶縁リングが配設され、前記第１の絶縁リングの外端には、第１の位置決め蓋体が配設され、
前記第２の端蓋は、第２の固定蓋体を有し、前記第２の固定蓋体の中央部には、第１の負極端子が収容され、前記第１の負極端子の内端が前記第２の固定蓋体に挿設されて前記ボックス上の前記負極コネクタに接触導通し、前記第２の固定蓋体の外端には、第２の絶縁リングが配設され、前記第２の絶縁リングの外端には、第２の位置決め蓋体が配設され、
前記第１の電気的接続部材の一端には、第１の正極端子が設けられ、前記第１の正極端子は、前記第１の端蓋の前記第１の固定蓋体と前記第１の絶縁リングとの間に挟持され、前記第１の正極端子の内端は、前記第１の固定蓋体に挿設されて前記ボックス上の前記正極コネクタに接触導通され、前記第１の電気的接続部材の他端には、第２の正極端子が設けられ、前記第２の正極端子は、前記第２の端蓋の前記第２の絶縁リングと前記第２の位置決め蓋体との間に挟持され、
前記第２の電気的接続部材の一端には、第２の負極端子が設けられ、前記第２の負極端子は、前記第１の端蓋の前記第１の絶縁リングと前記第１の位置決め蓋体との間に挟持され、前記第２の電気的接続部材の他端には、第３の負極端子が設けられ、前記第３の負極端子は、前記第２の端蓋の前記第２の固定蓋体と前記第２の絶縁リングとの間に挟持されることを特徴とする、
５極電池ボックス構造。
【請求項２】
前記第１の端蓋の前記第１の絶縁リングには、絶縁凸状リングが突設され、前記第２の電気的接続部材の前記第２の負極端子は、前記第１の電気的接続部材の前記第１の正極端子と接触しないように、前記第１の絶縁リングの前記絶縁凸状リングにより隔離されることを特徴とする請求項１に記載の５極電池ボックス構造。
【請求項３】
前記第２の端蓋の前記第２の固定蓋体には、絶縁凸状リングが突設され、前記第２の電気的接続部材の前記第３の負極端子は、前記第２の端蓋の前記第１の負極端子と接触しないように、前記第２の固定蓋体の前記絶縁凸状リングにより隔離されることを特徴とする請求項１に記載の５極電池ボックス構造。
【請求項４】
前記第２の端蓋の前記第２の絶縁リングには、絶縁凸状リングが突設され、前記第２の電気的接続部材の前記第３の負極端子は、前記第１の電気的接続部材の前記第２の正極端子と接触しないように、前記第２の絶縁リングの前記絶縁凸状リングにより隔離されることを特徴とする請求項１に記載の５極電池ボックス構造。
【発明の詳細な説明】
【技術分野】
【０００１】
本発明は、５極電池ボックス構造に関し、特に、使用状況に応じて電子機器及び電気器具に幅広くかつ便利に利用することができる、実用性及び機能性が高い５極電池ボックス構造に関する。
【背景技術】
【０００２】
科学技術の発展に伴い、人々の生活には便利な装置が出現している。代表的な電子機器、電気器具としては、携帯電話、ノート型パソコン、デジタルカメラ、タブレット型パソコンなどがある。これらの電気器具は、人々の生活環境において容易に利用できる電源を動力駆動として用い、所定の各種効果を容易に達成でき、人々の生活に大きな利便性がもたらされるため、多くの人々がこれらを購入して使用し、人々の日常生活において必要不可欠な物の一つとなっている。これらの電子機器にはユーザが持ち運んで外出先でも使用できるように、電力を供給する蓄電池が取り付けられている。
【０００３】
しかし、上述したような各種電子機器、電気器具で使用する蓄電池は、電力を供給するという期待された効果を達成することができるが、実際に使用すると分かるように、このような蓄電池は一端に形成された正極端子と、他端に形成された負極端子と、を有する。しかし互いに異なる正、負の両極性端子が両端に形成されていたため、配線が制限を受け、全体の構造設計上、改善の余地があった。
【０００４】
そのため、従来技術の問題点を改善する５極電池ボックス構造が求められていた。
【発明の概要】
【発明が解決しようとする課題】
【０００５】
本発明の目的は、第１の電池、第２の電池及び第３の電池に１次電池又は２次電池を利用し、使用状況に応じて異なる方向の５つの正、負電極を使用し、各種電子機器及び電気器具へ幅広くかつ便利に利用することができる５極電池ボックス構造を提供することにある。
【課題を解決するための手段】
【０００６】
上記課題を解決するために、本発明の第１の形態によれば、ボックス、第１の端蓋、第２の端蓋、第１の電気的接続部材及び第２の電気的接続部材を備えた５極電池ボックス構造であって、前記ボックスは、一端に設けられた前記第１の端蓋と、他端に設けられた前記第２の端蓋と、を有し、前記ボックス内には、互いに対応した３つの収納槽が形成され、前記収納槽内には、第１の電池、第２の電池及び第３の電池がそれぞれ収納され、前記第１の電池及び前記第３の電池は、正極端が前記第１の端蓋を向き、負極端が前記第２の端蓋を向き、前記第２の電池は、前記負極端が前記第１の端蓋を向き、前記正極端が前記第２の端蓋を向き、前記第１の電池の前記正極端は、正極コネクタに接続され、前記第２の電池の前記負極端と前記第３の電池の前記正極端との間には、第１の導通部材が接続され、前記第３の電池の前記負極端には、負極コネクタが接続されるとともに、前記第１の電池の前記負極端と前記第２の電池の前記正極端との間には、第２の導通部材が接続され、前記第１の端蓋は、第１の固定蓋体を有し、前記第１の固定蓋体の外端には、第１の絶縁リングが配設され、前記第１の絶縁リングの外端には、第１の位置決め蓋体が配設され、前記第２の端蓋は、第２の固定蓋体を有し、前記第２の固定蓋体の中央部には、第１の負極端子が収容され、前記第１の負極端子の内端が前記第２の固定蓋体に挿設されて前記ボックス上の前記負極コネクタに接触導通し、前記第２の固定蓋体の外端には、第２の絶縁リングが配設され、前記第２の絶縁リングの外端には、第２の位置決め蓋体が配設され、前記第１の電気的接続部材の一端には、第１の正極端子が設けられ、前記第１の正極端子は、前記第１の端蓋の前記第１の固定蓋体と前記第１の絶縁リングとの間に挟持され、前記第１の正極端子の内端は、前記第１の固定蓋体に挿設されて前記ボックス上の前記正極コネクタに接触導通され、前記第１の電気的接続部材の他端には、第２の正極端子が設けられ、前記第２の正極端子は、前記第２の端蓋の前記第２の絶縁リングと前記第２の位置決め蓋体との間に挟持され、前記第２の電気的接続部材の一端には、第２の負極端子が設けられ、前記第２の負極端子は、前記第１の端蓋の前記第１の絶縁リングと前記第１の位置決め蓋体との間に挟持され、前記第２の電気的接続部材の他端には、第３の負極端子が設けられ、前記第３の負極端子は、前記第２の端蓋の前記第２の固定蓋体と前記第２の絶縁リングとの間に挟持されることを特徴とする５極電池ボックス構造が提供される。
【０００７】
前記第１の端蓋の前記第１の絶縁リングには、絶縁凸状リングが突設され、前記第２の電気的接続部材の前記第２の負極端子は、前記第１の電気的接続部材の前記第１の正極端子と接触しないように、前記第１の絶縁リングの前記絶縁凸状リングにより隔離されることが好ましい。
【０００８】
前記第２の端蓋の前記第２の固定蓋体には、絶縁凸状リングが突設され、前記第２の電気的接続部材の前記第３の負極端子は、前記第２の端蓋の前記第１の負極端子と接触しないように、前記第２の固定蓋体の前記絶縁凸状リングにより隔離されることが好ましい。
【０００９】
前記第２の端蓋の前記第２の絶縁リングには、絶縁凸状リングが突設され、前記第２の電気的接続部材の前記第３の負極端子は、前記第１の電気的接続部材の前記第２の正極端子と接触しないように、前記第２の絶縁リングの前記絶縁凸状リングにより隔離されることが好ましい。
【発明の効果】
【００１０】
本発明の５極電池ボックス構造は、第１の電池、第２の電池及び第３の電池に１次電池又は２次電池を利用し、使用状況に応じてそれぞれ異なる方向を有する５つの正電極及び負電極を使用するため、各種電子機器及び電気器具へ幅広くかつ便利に利用することができる。
【図面の簡単な説明】
【００１１】
【図１】本発明の一実施形態に係る５極電池ボックス構造を示す分解斜視図である。
【図２】本発明の一実施形態に係る５極電池ボックス構造が電気的に接続された状態を示す説明図である。
【図３】本発明の一実施形態に係る５極電池ボックス構造を示す斜視図である。
【図４】本発明の一実施形態に係る５極電池ボックス構造を別の角度から見たところを示す斜視図である。
【図５】本発明の一実施形態に係る５極電池ボックス構造を懐中電灯へ応用したときの使用状態を示す説明図である。
【発明を実施するための形態】
【００１２】
以下、本発明の実施形態について図に基づいて説明する。なお、これによって本発明が限定されるものではない。
【００１３】
図１を参照する。図１は、本発明の一実施形態に係る５極電池ボックス構造を示す分解斜視図である。図１に示すように、本発明の一実施形態に係る５極電池ボックス構造は、少なくともボックス１、第１の端蓋２、第２の端蓋３、第１の電気的接続部材４及び第２の電気的接続部材５から構成される。
【００１４】
図２〜図４を参照する。図２は、本発明の一実施形態に係る５極電池ボックス構造が電気的に接続された状態を示す説明図である。図３は、本発明の一実施形態に係る５極電池ボックス構造を示す斜視図である。図４は、本発明の一実施形態に係る５極電池ボックス構造を別の角度から見たところを示す斜視図である。図２〜図４に示すように、本発明の一実施形態に係る５極電池ボックス構造は、少なくともボックス１、第１の端蓋２、第２の端蓋３、第１の電気的接続部材４及び第２の電気的接続部材５から構成される。
【００１５】
ボックス１は、一端に設けられた第１の端蓋２と、他端に設けられた第２の端蓋３と、を有する。ボックス１内には、互いに対応した３つの収納槽１１がそれぞれ形成されている。各収納槽１１内には、第１の電池１２、第２の電池１３及び第３の電池１４がそれぞれ収納されている。
第１の電池１２、第２の電池１３及び第３の電池１４は、それぞれ１次電池又は２次電池（蓄電池）でもよく、第１の電池１２及び第３の電池１４は、正極端が第１の端蓋２を向き、負極端が第２の端蓋３を向いている。第２の電池１３は、負極端が第１の端蓋２を向き、正極端が第２の端蓋３を向いている。第１の電池１２の正極端は、正極コネクタ１５に接続されている。第２の電池１３の負極端と第３の電池１４の正極端との間には、第１の導通部材１６が接続されている。第３の電池１４の負極端には、負極コネクタ１７が接続されるとともに、第１の電池１２の負極端と第２の電池１３の正極端との間には、第２の導通部材１８が接続されている。
【００１６】
第１の端蓋２は、第１の固定蓋体２１を有する。第１の固定蓋体２１の外端には、第１の絶縁リング２２が配設されている。第１の絶縁リング２２には、絶縁凸状リング２２１が突設され、第１の絶縁リング２２の外端には、第１の位置決め蓋体２３が配設されている。
【００１７】
第２の端蓋３は、第２の固定蓋体３１を有する。第２の固定蓋体３１の中央部には、第１の負極端子３２が収容されている。第１の負極端子３２の内端は、第２の固定蓋体３１に挿設されるとともに、ボックス１上の負極コネクタ１７に接触導通される。第２の固定蓋体３１は、第１の負極端子３２に対応して絶縁凸状リング３１１が突設され、第２の固定蓋体３１の外端には、第２の絶縁リング３３が配設されている。第２の絶縁リング３３には、絶縁凸状リング３３１が突設され、第２の絶縁リング３３の外端には、第２の位置決め蓋体３４が配設されている。
【００１８】
第１の電気的接続部材４の一端には、第１の正極端子４１が設けられている。第１の正極端子４１は、第１の端蓋２の第１の固定蓋体２１と第１の絶縁リング２２との間に挟持され、第１の正極端子４１の内端が第１の固定蓋体２１に挿設され、ボックス１上の正極コネクタ１５と接触導通される。第１の電気的接続部材４の他端には、第２の正極端子４２が設けられる。第２の正極端子４２は、第２の端蓋３の第２の絶縁リング３３と第２の位置決め蓋体３４との間に挟持される。
【００１９】
第２の電気的接続部材５は、一端に第２の負極端子５１が設けられている。第２の負極端子５１は、第１の端蓋２の第１の絶縁リング２２と第１の位置決め蓋体２３との間に挟持され、第２の負極端子５１と第１の電気的接続部材４の第１の正極端子４１とが接触されないように、第１の絶縁リング２２の絶縁凸状リング２２１により隔離されている。
第２の電気的接続部材５の他端には、第３の負極端子５２が設けられている。第３の負極端子５２は、第２の端蓋３の第２の固定蓋体３１と第２の絶縁リング３３との間に挟持され、第３の負極端子５２と第２の端蓋３の第１の負極端子３２とが接触しないように、第２の固定蓋体３１の絶縁凸状リング３１１により隔離され、第３の負極端子５２と第１の電気的接続部材４の第２の正極端子４２とが接触しないように、第２の絶縁リング３３の絶縁凸状リング３３１により隔離されている。
【００２０】
上述したように、本発明は第２の端蓋３の第１の負極端子３２、第１の電気的接続部材４の第１の正極端子４１及び第２の正極端子４２、第２の電気的接続部材５の第２の負極端子５１及び第３の負極端子５２の５つの正極及び負極がそれぞれ異なる方向で設けられているため、各種電子機器及び電気器具へ幅広く応用し、便利に使用することができる。
【００２１】
図５を参照する。図５は、本発明の一実施形態に係る５極電池ボックス構造を懐中電灯へ応用したときの使用状態を示す説明図である。即ち、第１の電気的接続部材４の第１の正極端子４１と第２の電気的接続部材５の第２の負極端子５１との間には、発光源６がそれぞれ接続されている。第２の端蓋３の第１の負極端子３２、第１の電気的接続部材４の第２の正極端子４２、第２の電気的接続部材５の第３の負極端子５２の間には、制御ユニット７が接続されている。第１の負極端子３２及び第１の電気的接続部材４の第２の正極端子４２は、制御ユニット７に対して必要な電力を供給し、制御ユニット７により第１の負極端子３２と第３の負極端子５２との間の導通状態を制御し、発光源６に対して必要な電力を供給して発光させる。
【００２２】
上述したことから分かるように、本発明の５極電池ボックス構造は、従来の構造と比べ、以下（１）及び（２）の長所を有する。
（１）ボックスの収納槽内の第１の電池、第２の電池及び第３の電池に１次電池又は２次電池を利用することができるため、様々な使用状況に応じて便利に使用することができる。
（２）第２の端蓋の第１の負極端子、第１の電気的接続部材の第１の正極端子及び第２の正極端子、第２の電気的接続部材の第２の負極端子及び第３の負極端子を利用し、方向が異なる正電極及び負電極を得て、各種電子機器及び電気器具へ幅広くかつ便利に利用することができる。
【００２３】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２４】
１      ボックス
２      第１の端蓋
３      第２の端蓋
４      第１の電気的接続部材
５      第２の電気的接続部材
６      発光源
７      制御ユニット
１１    収納槽
１２    第１の電池
１３    第２の電池
１４    第３の電池
１５    正極コネクタ
１６    第１の導通部材
１７    負極コネクタ
１８    第２の導通部材
２１    第１の固定蓋体
２２    第１の絶縁リング
２３    第１の位置決め蓋体
３１    第２の固定蓋体
３２    第１の負極端子
３３    第２の絶縁リング
３４    第２の位置決め蓋体
４１    第１の正極端子
４２    第２の正極端子
５１    第２の負極端子
５２    第３の負極端子
２２１  絶縁凸状リング
３１１  絶縁凸状リング
３３１  絶縁凸状リング
【図１】
2015201371.tif 000003
【図２】
2015201371.tif 000004
【図３】
2015201371.tif 000005
【図４】
2015201371.tif 000006
【図５】
2015201371.tif 000007
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
ボックス、第１の端蓋、第２の端蓋、第１の電気的接続部材及び第２の電気的接続部材を備えた５極電池ボックス構造であって、
前記ボックスは、一端に設けられた前記第１の端蓋と、他端に設けられた前記第２の端蓋と、を有し、前記ボックス内には、互いに対応した３つの収納槽が形成され、前記収納槽内には、第１の電池、第２の電池及び第３の電池がそれぞれ収納され、前記第１の電池及び前記第３の電池は、正極端が前記第１の端蓋を向き、負極端が前記第２の端蓋を向き、前記第２の電池は、前記負極端が前記第１の端蓋を向き、前記正極端が前記第２の端蓋を向き、前記第１の電池の前記正極端は、正極コネクタに接続され、前記第２の電池の前記負極端と前記第３の電池の前記正極端との間には、第１の導通部材が接続され、前記第３の電池の前記負極端には、負極コネクタが接続されるとともに、前記第１の電池の前記負極端と前記第２の電池の前記正極端との間には、第２の導通部材が接続され、
前記第１の端蓋は、第１の固定蓋体を有し、前記第１の固定蓋体の、前記ボックスの前記第１の端蓋と前記第２の端蓋とを結んだ軸線上の外端には、第１の絶縁リングが配設され、前記第１の絶縁リングの、前記ボックスの前記第１の端蓋と前記第２の端蓋とを結んだ軸線上の外端には、第１の位置決め蓋体が配設され、
前記第２の端蓋は、第２の固定蓋体を有し、前記第２の固定蓋体の中央部には、第１の負極端子が収容され、前記第１の負極端子の、前記ボックスの前記第１の端蓋と前記第２の端蓋とを結んだ軸線上の内端が前記第２の固定蓋体に挿設されて前記ボックス上の前記負極コネクタに接触導通し、前記第２の固定蓋体の、前記ボックスの前記第１の端蓋と前記第２の端蓋とを結んだ軸線上の外端には、第２の絶縁リングが配設され、前記第２の絶縁リングの、前記ボックスの前記第１の端蓋と前記第２の端蓋とを結んだ軸線上の外端には、第２の位置決め蓋体が配設され、
前記第１の電気的接続部材の一端には、第１の正極端子が設けられ、前記第１の正極端子は、前記第１の端蓋の前記第１の固定蓋体と前記第１の絶縁リングとの間に挟持され、前記第１の正極端子の、前記ボックスの前記第１の端蓋と前記第２の端蓋とを結んだ軸線上の内端は、前記第１の固定蓋体に挿設されて前記ボックス上の前記正極コネクタに接触導通され、前記第１の電気的接続部材の他端には、第２の正極端子が設けられ、前記第２の正極端子は、前記第２の端蓋の前記第２の絶縁リングと前記第２の位置決め蓋体との間に挟持され、
前記第２の電気的接続部材の一端には、第２の負極端子が設けられ、前記第２の負極端子は、前記第１の端蓋の前記第１の絶縁リングと前記第１の位置決め蓋体との間に挟持され、前記第２の電気的接続部材の他端には、第３の負極端子が設けられ、前記第３の負極端子は、前記第２の端蓋の前記第２の固定蓋体と前記第２の絶縁リングとの間に挟持されることを特徴とする、
５極電池ボックス構造。
【請求項２】
前記第１の端蓋の前記第１の絶縁リングには、絶縁凸状リングが突設され、前記第２の電気的接続部材の前記第２の負極端子は、前記第１の電気的接続部材の前記第１の正極端子と接触しないように、前記第１の絶縁リングの前記絶縁凸状リングにより隔離されることを特徴とする請求項１に記載の５極電池ボックス構造。
【請求項３】
前記第２の端蓋の前記第２の固定蓋体には、絶縁凸状リングが突設され、前記第２の電気的接続部材の前記第３の負極端子は、前記第２の端蓋の前記第１の負極端子と接触しないように、前記第２の固定蓋体の前記絶縁凸状リングにより隔離されることを特徴とする請求項１に記載の５極電池ボックス構造。
【請求項４】
前記第２の端蓋の前記第２の絶縁リングには、絶縁凸状リングが突設され、前記第２の電気的接続部材の前記第３の負極端子は、前記第１の電気的接続部材の前記第２の正極端子と接触しないように、前記第２の絶縁リングの前記絶縁凸状リングにより隔離されることを特徴とする請求項１に記載の５極電池ボックス構造。